(57)【要約】【課題】運転始動後、速やかに負圧を発生させるジェットポンプを提供する。【解決手段】ジェットノズル１２の噴射口１７を内部に収容する収容室１８、および収容室１８に液体燃料を吸入する吸入口１９を有するチャンバー１３と、収容室１８と連通したスロート通路２１を形成するスロートパイプ１４とを備える。そして、噴射口１７から噴射した液体燃料が、スロート通路２１の通路断面を閉塞する液膜を形成しつつ流通することで、収容室１８に負圧が発生し、該負圧により吸入口１９から液体燃料を吸入するように構成する。そして、スロートパイプ１４の下流側開口部２２の上端を、噴射口１７の上端よりも上方に位置させる。【選択図】図２
2007218094.tif 000002
【特許請求の範囲】
【請求項１】
液体燃料を噴射する噴射口を有するジェットノズルと、
前記噴射口から噴射した液体燃料が流通するスロート通路を有するスロートパイプとを備え、
前記スロート通路内の液体燃料が、前記スロート通路の通路断面を閉塞する液膜を形成しつつ流通することで、負圧を発生させ、該負圧により前記スロート通路に液体燃料を吸入し、
前記スロートパイプの下流側開口部の上端が、前記噴射口の上端よりも上方に位置するジェットポンプ。
【請求項２】
前記スロート通路は、下流側に向けて斜め上方または上方に、直線的に延びる形状である請求項１記載のジェットポンプ。
【請求項３】
前記スロートパイプの下流側開口部と連通して液体燃料を貯留するとともに、貯留した液体燃料を上方に溢れ出させるカップ開口部が形成されたカップを備え、
前記カップのうち前記下流側開口部と対向する部分の壁面を衝突壁面とし、前記衝突壁面の上端は、前記衝突壁面の下端に比べて前記下流側開口部に近い位置である請求項１または２記載のジェットポンプ。
【請求項４】
前記スロートパイプの内部には、液体燃料の流れ方向に延びる中子部材が配置され、
前記スロート通路は、前記スロートパイプの内壁と前記中子部材の外壁に囲まれた筒形状であり、
前記中子部材の上流側先端は、上流側から下流側に向けて前記スロート通路の流路断面積を徐々に減少させる形状である請求項１から３のいずれか一項記載のジェットポンプ。
【請求項５】
液体燃料を噴射する噴射口を有するジェットノズルと、
前記噴射口から噴射した液体燃料が流通するスロート通路を有するスロートパイプと、
前記スロートパイプの下流側開口部と連通して液体燃料を貯留するとともに、貯留した液体燃料を上方に溢れ出させるカップ開口部が形成されたカップとを備え、
前記スロート通路内の液体燃料が、前記スロート通路の通路断面を閉塞する液膜を形成しつつ流通することで、負圧を発生させ、該負圧により前記スロート通路に液体燃料を吸入するように構成され、
前記カップのうち前記下流側開口部と対向する部分の壁面を衝突壁面とし、前記衝突壁面の上端は、前記衝突壁面の下端に比べて前記下流側開口部に近い位置であるジェットポンプ。
【請求項６】
前記衝突壁面は、前記衝突壁面の上端が前記下流側開口部に近づく向きに傾斜する請求項５記載のジェットポンプ。
【請求項７】
前記カップのうち前記衝突壁面と対向する部分の壁面を対向壁面とし、前記対向壁面は、前記衝突壁面と略並行に拡がる形状である請求項６記載のジェットポンプ。
【請求項８】
前記衝突壁面の上端は、前記衝突壁面の上端が前記下流側開口部に近づく向きに延びる形状である請求項５記載のジェットポンプ。
【請求項９】
前記スロートパイプの内部には、液体燃料の流れ方向に延びる中子部材が配置され、
前記スロート通路は、前記スロートパイプの内壁と前記中子部材の外壁に囲まれた筒形状であり、
前記中子部材の上流側先端は、上流側から下流側に向けて前記スロート通路の流路断面積を徐々に減少させる形状である請求項５から８のいずれか一項記載のジェットポンプ。
【請求項１０】
液体燃料を噴射する噴射口を有するジェットノズルと、
前記噴射口を内部に収容する収容室、および前記収容室に液体燃料を吸入する吸入口を有するチャンバーと、
前記収容室と連通したスロート通路を有するスロートパイプとを備え、
前記スロート通路内の液体燃料が、前記スロート通路の通路断面を閉塞する液膜を形成しつつ流通することで、負圧を発生させ、該負圧により前記スロート通路に液体燃料を吸入するように構成され、
前記スロートパイプの内部には、液体燃料の流れ方向に延びる中子部材が配置され、
前記スロート通路は、前記スロートパイプの内壁と前記中子部材の外壁に囲まれた筒形状であり、
前記中子部材の上流側先端は、上流側から下流側に向けて前記スロート通路の流路断面積を徐々に減少させる形状であるジェットポンプ。
【請求項１１】
前記上流側先端は凸曲面形状である請求項１０記載のジェットポンプ。
【請求項１２】
前記噴射口を内部に収容するとともに前記スロート通路と連通する収容室、および前記負圧により前記収容室に液体燃料を吸入する吸入口を有するチャンバーを備えた請求項１から１１のいずれか一項記載のジェットポンプ。
【請求項１３】
区画壁によりメインタンク室とサブタンク室に区画された燃料タンクに設置され、前記サブタンク室の燃料を、前記区画壁の上方を越えて前記メインタンク室に移送させるポンプに適用された請求項１から１２のいずれか一項記載のジェットポンプ。
【発明の詳細な説明】
【技術分野】
【０００１】
本発明は、液体燃料をジェットノズルから噴射させて負圧により吸入する、ジェットポンプに関する。
【背景技術】
【０００２】
従来のジェットポンプとして、燃料ポンプから吐出される燃料の一部や、エンジンからのリターン燃料を噴射口から噴射させるジェットノズルと、噴射口を内部に収容する収容室を有するチャンバーと、収容室と連通したスロート通路を形成するスロートパイプとを備えるものが知られている（例えば特許文献１）。このジェットポンプでは、噴射口から噴射した燃料が、燃料で満たされた状態のスロート通路を流通することで、スロート通路内に液体燃料による液膜を形成し、収容室に負圧を発生させる。そしてこの負圧により、チャンバーに開口する吸入口から燃料が吸入される。
【０００３】
【特許文献１】特開２００２−３６４４８１号公報
【発明の開示】
【発明が解決しようとする課題】
【０００４】
しかしながら、上記構成による従来のジェットポンプでは、ジェットポンプの運転始動時に、ジェットノズルの噴射口が液体燃料で満たされていない場合には、噴射口から噴射した液体燃料にエアーが巻き込まれる。すると、スロート通路内に液膜が形成されず、吸入口からの燃料の吸入力が低下する。
【０００５】
そこで、本発明の目的は、運転始動後、速やかに負圧を発生させるジェットポンプを提供することにある。
【課題を解決するための手段】
【０００６】
ここで、スロートパイプの下流側開口部が噴射口よりも下方に位置する場合には、ジェットポンプの運転を停止した際に、スロートパイプ内に残存する燃料は噴射口から遠ざかる向きに流れ出てしまう。すると、次回ジェットポンプの運転を始動させる際に、噴射口に存在するエアーが、噴射口から噴射した液体燃料に巻き込まれ、ジェットポンプの始動後、速やかに負圧を発生させることができない。
【０００７】
この点を鑑みて、請求項１〜４、１２、１３記載の発明では、スロートパイプの下流側開口部の上端が、ジェットノズルの噴射口の上端よりも上方に位置する。そのため、ジェットポンプの運転を停止した際に、噴射口が残存燃料で満たされることとなる。よって、次回ジェットポンプの運転を始動させる際に、噴射口から噴射した液体燃料にエアーが巻き込まれることを抑制できる。そのため、スロート通路内に液体燃料による液膜が形成され、ジェットポンプの運転始動後、速やかに負圧を発生させることができる。
【０００８】
請求項２記載の発明では、スロート通路は、下流側に向けて斜め上方または上方に、直線的に延びる形状である。そのため、ジェットポンプの運転を停止した際に、スロートパイプ内のエアーが容易に抜け出ることとなる。よって、次回ジェットポンプの運転を始動させる際に、噴射口から噴射した液体燃料にエアーが巻き込まれることをより一層抑制できる。
【０００９】
ここで、本発明者らは以下の構造を検討した。すなわち、スロートパイプの下流側開口部と連通して液体燃料を貯留するカップを備え、このカップに、貯留した液体燃料を上方に溢れ出させるカップ開口部を形成した。この構造によれば、ジェットポンプの運転を停止させた際に、カップに貯留された燃料によって噴射口が燃料で満たされることとなる。そのため、次回ジェットポンプの運転を始動させる際に、噴射口から噴射した液体燃料にエアーが巻き込まれることを抑制でき、ジェットポンプの運転始動後、速やかに負圧を発生させることを図る。
しかしながら、上述のカップを備えた構成のジェットポンプにおいて、スロートパイプから吐出した燃料がカップの壁面に衝突して、カップ内の燃料が吹き飛んでしまい、ジェットポンプの運転を停止させた際にカップ内に燃料が十分に貯留されない、との問題が生じることが分かった。
【００１０】
この点を鑑みて、請求項３、５〜９記載の発明では、カップのうちスロートパイプの下流側開口部と対向する部分の壁面を衝突壁面とし、衝突壁面の上端は、衝突壁面の下端に比べてスロートパイプの下流側開口部に近い位置である。そのため、スロートパイプから吐出して衝突壁面に衝突した燃料がカップ開口部から吹き出てしまうことを抑制できる。よって、ジェットポンプの運転を停止させた際におけるカップ内の燃料貯留量を増加させることができるので、次回ジェットポンプの運転を始動させる際に、噴射口が残存燃料で満たされることとなる。よって、噴射口から噴射した液体燃料にエアーが巻き込まれることを抑制でき、ジェットポンプの運転始動後、速やかに負圧を発生させることができる。
【００１１】
ここで、例えば、車両の加速時にジェットポンプに流入する燃料が少なくなる等の理由により、ジェットポンプの運転を始動させる際に、ジェットノズルから噴射される燃料が少なく、その結果スロートパイプを流通する燃料の流量が少ない場合がある。この場合にはスロート通路内に液膜が形成されず、上述の負圧を十分に発生させることができないといった課題が生じる。この課題に対し、スロート通路の流路断面積を小さくして、スロート通路が燃料で満たされやすくなるようにした構成を本発明者らは検討した。
【００１２】
しかしながら、このようにスロート通路の流路断面積を小さくしただけでは、次の課題が生じることが分かった。すなわち、ジェットノズルの中心軸とスロート通路の中心軸とがずれていると、ジェットノズルから噴射される燃料が、スロートパイプの内壁面に周方向に均一に衝突せずに偏って衝突する。すると、スロート通路にエアーが巻き込まれることとなり、負圧を十分に発生させることができない。
【００１３】
この点を鑑みて、請求項４、１０、１１記載の発明では、スロートパイプの内部に中子部材が配置され、スロート通路は、スロートパイプの内壁と中子部材の外壁に囲まれた筒形状である。そのため、中子部材を備えない場合に比べてスロート通路の流路断面積が小さくなり、スロート通路が燃料で満たされやすくなる。よって、ジェットポンプの運転を始動させる際に、スロート通路を流通する燃料の流量が少ない場合であっても、スロート通路内に液膜が形成され、ジェットポンプの運転始動後、速やかに負圧を発生させることができる。
【００１４】
さらに、請求項４、１０、１１記載の発明では、中子部材の上流側先端は、上流側から下流側に向けてスロート通路の流路断面積を徐々に減少させる形状である。そのため、ジェットノズルの中心軸とスロート通路の中心軸とがずれていたとしても、ジェットノズルから噴射された燃料は、中子部材の上流側先端の中心からずれた位置に衝突し、その後、中子部材の径方向に均一に拡がる。すると、スロート通路にエアーが巻き込まれ難くなり、スロート通路が燃料で満たされやすくなる。よって、負圧を十分に発生させることができる。
【００１５】
請求項７記載の発明では、対向壁面は衝突壁面と略並行に拡がる形状であるため、カップを樹脂成形するにあたり、両壁面に対して平行な方向に金型を抜くことができる。よって、カップの樹脂成形性を良好にできる。
【００１６】
請求項１１記載の発明では、中子部材の上流側先端は凸曲面形状である。そのため、ジェットノズルから噴射された燃料が、中子部材の上流側先端の中心からずれた位置に衝突した場合において、その衝突した燃料は中子部材の径方向により一層均一に拡がることとなる。よって、スロート通路が燃料で満たされやすくなり、負圧を十分に発生させることができる。
【発明を実施するための最良の形態】
【００１７】
以下、本発明の複数の実施形態を図面に基づいて説明する。
（第１実施形態）
図１に、本実施形態によるジェットポンプ１０が、燃料タンク２内に設置された状態を示す。燃料タンク２は、区画壁１によりメインタンク室３とサブタンク室４に区画された鞍型の形状である。燃料タンク２を鞍型の形状にする使用例としては、車両搭載スペースの形状に合わせて燃料タンク２の形状を形成する場合等が挙げられる。
【００１８】
メインタンク室３には、ギアポンプまたはベーンポンプ等の燃料ポンプ５が設置されている。燃料ポンプ５は、メインタンク室３の液体燃料を圧送管６を通じて図示しないエンジンへ供給する。このエンジンはディーゼルエンジンでもよいしガソリンエンジンでもよい。ジェットポンプ１０は、サブタンク室４の液体燃料をメインタンク室３に移送する。これにより、メインタンク室３の液面高さは、燃料ポンプ５が燃料を吸入可能な程度に保持される。
【００１９】
燃料ポンプ５がエンジンへ供給した燃料の余剰分は、リターン管７を通じてジェットポンプに１０流入する。この余剰分の液体燃料の流速エネルギーを駆動源としてジェットポンプ１０は作動する。ジェットポンプ１０の作動により、サブタンク室４の燃料は、フィルタ８および吸入管９を通じてメインタンク室３に移送される。
【００２０】
次に、ジェットポンプ１０の構成を、ジェットポンプ１０の断面図である図２を用いて詳細に説明する。図２中の上下方向を示す矢印は、燃料タンク２が車両に搭載された状態における重力方向を示す。
【００２１】
ジェットポンプ１０は、リターン燃料吸入管１１、ジェットノズル１２、チャンバー１３、スロートパイプ１４、移送燃料吸入管１５、カップ１６を備えている。本実施形態では、リターン燃料吸入管１１、ジェットノズル１２、チャンバー１３、スロートパイプ１４および移送燃料吸入管１５を、樹脂にて一体に成形している。また、カップ１６は樹脂製であり、スロートパイプ１４に接着されている。
【００２２】
リターン燃料流入管１１の上流側はリターン管７と接続され、リターン燃料流入管１１の下流側はジェットノズル１２と接続されている。そのため、エンジンからの余剰分の燃料は、リターン管７およびリターン燃料流入管１１を通じて、ジェットノズル１２の噴射口１７から噴射される。噴射口１７の開口形状は円形である。
【００２３】
チャンバー１３は、噴射口１７を内部に収容する収容室１８と、収容室１８に燃料を吸入する吸入口１９と、収容室１８から燃料を吐出する吐出口２０とを有している。チャンバー１３は、吸入口１９と吐出口２０のみを開口部として有する袋形状である。
【００２４】
吸入口１９には移送燃料吸入管１５が接続され、吐出口２０にはスロートパイプ１４が接続されている。吸入口１９は収容室１８のうち噴射口１７の上流側に位置し、吐出口２０は、収容室１８のうち噴射口１７の下流側に位置する。収容室１８は、ジェットノズル１２の周囲を取り囲む円筒形状である。収容室１８のうち吐出口２０近傍部分は、下流側に向けて流路断面が徐々に減少する円錐形状に形成されている。
【００２５】
スロートパイプ１４は、内部にスロート通路２１を形成する円筒形状である。スロート通路２１は、斜め上方に向けて直線的に延びる形状である。また、ジェットノズル１２の噴射口１７も斜め上方に向けられており、ジェットノズル１２およびスロートパイプ１４は、ジェットノズル１２の中心軸とスロート通路２１の中心軸が一致するように配置されている。よって、スロートパイプ１４の下流側開口部２２の上端は、噴射口１７の上端よりも上方に位置することとなる。
【００２６】
カップ１６は、スロートパイプ１４の下流側開口部２２と連通して燃料を貯留する。カップ１６は、上方に開口するカップ開口部２３を有する形状であり、カップ開口部２３およびカップ１６底面の形状は矩形である。そして、貯留量を超えてカップ１６内に流入した燃料は、カップ開口部２３から溢れ出て、メインタンク室３に流出する。
【００２７】
次に、ジェットポンプ１０の作動を説明する。
電動の燃料ポンプ５を作動させて、エンジンに向けて供給した燃料の余剰分が、リターン管７を通じてジェットポンプ１０のリターン燃料吸入管１１に流入すると、ジェットポンプ１０は、噴射口１７から燃料を噴射することで次の如く作動する。噴射口１７から噴射された燃料は、収容室１８を通じてスロート通路２１内に流入する。スロート通路２１に流入した燃料は、通路断面を閉塞する液膜（所謂リキッドシール）を形成しつつ流通する。これにより、吸引圧としての負圧が収容室１８に発生し、この負圧により吸入口１９から収容室１８に、サブタンク室４の燃料が吸入される。
【００２８】
吸入口１９から吸入された燃料は、ジェットノズル１２から噴射された燃料とともにスロート通路２１を通じてカップ１６に流入する。カップ１６に流入した燃料は、カップ開口部２３から溢れ出て、メインタンク室３に流出する。以上により、リターン管７を通じてジェットポンプ１０に流入した燃料の流速エネルギーを駆動源として、サブタンク室４の燃料はメインタンク室３に移送される。
【００２９】
そして、燃料ポンプ５の作動を停止させる等により、リターン管７からジェットポンプ１０への燃料流入が停止した場合には、噴射口１７からの燃料噴射が停止する。そして、本実施形態によれば、スロートパイプ１４は斜め上方に傾くように配置されているので、噴射口１７からの燃料噴射が停止した直後には、カップ１６内に貯留されていた燃料は、重力によりスロート通路２１に向けて流れる。
【００３０】
これにより、チャンバー１３内には残存燃料で満たされ、噴射口１７が残存燃料で満たされることとなる。よって、次回ジェットポンプ１０の運転を始動させる際に、噴射口から噴射した燃料にエアーが巻き込まれることを抑制できる。そのため、スロート通路２１内に燃料による液膜が形成され、ジェットポンプ１０の運転始動後、速やかに燃料を移送することができる。
【００３１】
また、本実施形態によれば、スロート通路２１は、斜め上方に向けて直線的に延びる形状であるため、ジェットポンプ１０の運転を停止した際に、チャンバー１３およびスロート通路２１にある残存燃料中に含まれているエアーが、スロート通路２１の下流側開口部２２から容易に抜け出ることとなる。よって、次回ジェットポンプ１０の運転を始動させる際に、噴射口１７から噴射した燃料にエアーが巻き込まれることをより一層抑制できる。
【００３２】
なお、本実施形態では、吸入管９は上方に湾曲した形状、すなわち、区画壁１を上方から越える形状である。そのため、ジェットポンプ１０の運転を停止した際に、チャンバー１３内の燃料が吸入管９を逆流して抜け出てしまうことを防止でき、ジェットノズル１２の噴射口１７を燃料で満たすことを確実にしている。
【００３３】
（第２実施形態）
図３は、第２実施形態によるジェットポンプ１０を示す断面図であり、図３中の上下方向を示す矢印は、燃料タンク２が車両に搭載された状態における重力方向を示す。
【００３４】
カップ１６の形状は立方体であり、カップ内壁面のうちスロートパイプ１４の下流側開口部２２と対向する部分の壁面を衝突壁面２４と呼ぶ。衝突壁面２４は、カップ開口部２３を狭める向きに傾斜する。そのため、スロートパイプ１４から吐出して衝突壁面２４に衝突した燃料は、斜め下方に吹き飛ばされることになる。よって、カップ開口部２３から燃料が吹き出てしまうことを抑制でき、ジェットノズル１２から燃料を噴射させている際におけるカップ１６内の燃料貯留量を増加させることができる。
【００３５】
よって、ジェットポンプ１０の運転を停止させた際に、カップ１６から収容室１８に向かって流れる燃料の量を増加できる。よって、次回ジェットノズル１２から燃料噴射を再開させる際に、噴射口１７から噴射した燃料にエアーが巻き込まれることを抑制でき、ジェットポンプ１０の運転始動後、速やかに燃料を移送することができる。
【００３６】
（第３実施形態）
図４は、第３実施形態によるジェットポンプ１０を示す断面図であり、図４中の上下方向を示す矢印は、燃料タンク２が車両に搭載された状態における重力方向を示す。
【００３７】
カップ１６内壁面のうち衝突壁面２４と対向する部分の壁面を対向壁面２５と呼ぶ。対向壁面２５は、衝突壁面２４と略並行に拡がる面形状である。そのため、カップ１６を樹脂成形するにあたり、両壁面２４、２５に対して平行な方向に金型を抜くことができる。よって、カップ１６の樹脂成形性を良好にできる。なお、第２実施形態によるカップ１６の形状の場合には、カップ１６を紙面手前側と奥側との２分割とし、金型を紙面垂直方向に抜くようにすればよい。
【００３８】
（第４実施形態）
図５は、第４実施形態によるジェットポンプ１０を示す断面図であり、図５中の上下方向を示す矢印は、燃料タンク２が車両に搭載された状態における重力方向を示す。
【００３９】
上記第３実施形態では、衝突壁面２４は、スロートパイプ１４の下流側開口部２２から燃料が吐出される向きに対して傾斜する形状である。これに対し、第４実施形態の衝突壁面２４は、下流側開口部２２から燃料が吐出される向きに対して垂直に拡がる形状である。そして、衝突壁面２４の上端には、カップ開口部２３を狭める向きに延びる返し壁面２６が備えられている。
【００４０】
そのため、スロートパイプ１４から吐出して衝突壁面２４に衝突してカップ開口部２３に向けて吹き飛ばされる燃料は、返し壁面２６に衝突してカップ１６内に跳ね返る。よって、カップ開口部２３から燃料が吹き出てしまうことを抑制でき、第３実施形態と同様の効果が発揮される。
【００４１】
（第５実施形態）
図６は、第５実施形態によるジェットポンプ１０を示す断面図であり、図６中の上下方向を示す矢印は、燃料タンク２が車両に搭載された状態における重力方向を示す。図７は図６のＩ−Ｉ断面を示す図である。
【００４２】
スロートパイプ１４の内部には、燃料の流れ方向に延びる円柱形状の中子部材２７が配置されている。そのため、スロート通路２１は、スロートパイプ１４の内壁と中子部材２７の外壁に囲まれた円筒形状となる。中子部材２７は樹脂製であり、複数の連結部材２８によりスロートパイプ１４に接続されている。
【００４３】
中子部材２７の上流側先端２９は、上流側から下流側に向けてスロート通路２１の流路断面積を徐々に減少させる円錐形状である。上流側先端２９の先端は噴射口１７の中心に対向配置されている。そして、ジェットノズル１２、スロートパイプ１４および中子部材２７は、各中心軸が一致するように配置されている。なお、第１実施形態では、収容室１８のうち吐出口２０近傍部分は、下流側に向けて流路断面が徐々に減少する円錐形状に形成されている。これに対し、第２実施形態では、このような円錐形状を廃止している。
【００４４】
上記構成による本実施形態によれば、中子部材２７を備えない場合に比べてスロート通路２１の流路断面積が小さくなるので、スロート通路２１が燃料で満たされやすくなる。よって、ジェットポンプ１０の運転を始動させる際に、スロート通路２１を流通する燃料の流量が少ない場合であっても、スロート通路２１内に液膜が形成され、収容室１８にて負圧を十分に発生させることができる。従って、ジェットポンプ１０の運転始動後、速やかに燃料を移送することができる。
【００４５】
さらに、本実施形態によれば、中子部材２７の上流側先端２９は、上流側から下流側に向けてスロート通路２１の流路断面積を徐々に減少させる形状であるため、ジェットノズル１２の中心軸とスロート通路２１の中心軸とがずれていたとしても、ジェットノズル１２から噴射された燃料は、上流側先端２９の中心からずれた位置に衝突し、その後、中子部材２７の径方向に均一に拡がる。すると、スロート通路２１にエアーが巻き込まれ難くなり、スロート通路２１が燃料で満たされやすくなる。よって、収容室１８での負圧を十分に発生させることができる。
【００４６】
（第６実施形態）
図８は、第６実施形態によるジェットポンプ１０を示す断面図であり、図８中の上下方向を示す矢印は、燃料タンク２が車両に搭載された状態における重力方向を示す。
【００４７】
第６実施形態による中子部材２７の上流側先端２９は、凸曲面形状である。すなわち、第５実施形態による上流側先端２９は、図６に示す如く断面形状が三角形であるのに対し、第６実施形態による上流側先端２９は、図８に示す如く断面形状が半楕円形状である。
【００４８】
そのため、ジェットノズル１２から噴射された燃料が、上流側先端２９の中心からずれた位置に衝突した場合において、その衝突した燃料は、上流側先端２９が断面三角形である場合に比べて、中子部材の径方向により一層均一に拡がることとなる。よって、スロート通路２１が燃料で満たされやすくなり、収容室１８での負圧を十分に発生させることができる。
【００４９】
（他の実施形態）
上記第１実施形態では、スロートパイプ１４を直線的に延びる形状にしているが、スロートパイプ１４の下流側開口部２２の上端が噴射口１７の上端よりも上方に位置していれば、スロートパイプ１４が湾曲した形状であってもよい。
また、上記第１実施形態では、ジェットポンプ１０にカップ１６を備えさせているが、本発明の実施にあたり、カップ１６を廃止してもよい。
【００５０】
上記第２〜６実施形態では、スロートパイプ１４を水平に配置しているが、第１実施形態と同様にスロートパイプ１４の下流側開口部２２の上端が噴射口１７の上端よりも上方に位置させてもよい。
【００５１】
上記第５および第６実施形態では、中子部材２７の上流側先端２９をスロート通路２１に配置させているが、チャンバー１３の収容室１８に上流側先端２９を配置させてもよい。
また、上記第５および第６実施形態において、収容室１８のうち吐出口２０近傍部分を、第１実施形態と同様の円錐形状に形成してもよい。
また、上記第５および第６実施形態のスロートパイプ１４に、第１〜第４実施形態と同様のカップ１６を備えさせるようにしてもよい。
【００５２】
上記各実施形態では、燃料ポンプ５からエンジンへ供給した燃料の余剰分によりジェットポンプ１０を作動させているが、本発明の実施にあたり、燃料ポンプ５からエンジンを介すことなく直接ジェットポンプ１０に燃料を送るようにしてもよい。例えば、圧送管６から燃料を分岐させてジェットポンプ１０に燃料を送るようにしてもよいし、燃料ポンプ５に備えられたプレッシャーレギュレータの低圧側燃料をジェットポンプ１０に送るようにしてもよい。
【００５３】
上記各実施形態では、燃料タンク２が鞍型の形状である場合において、サブタンク室４からメインタンク室３に燃料を移送させる用途にジェットポンプ１０を適用させているのに対し、次の適用例も挙げられる。すなわち、燃料ポンプ５を収容するポンプ室を燃料タンク２内に設けて、車体が傾いたとしても燃料ポンプ５が燃料を吸入できるように構成した場合において、燃料タンク２からポンプ室に燃料を移送させる用途にジェットポンプ１０を適用させてもよい。
このように、本発明は、上記実施形態に限定されるものではなく、その要旨を逸脱しない範囲で種々の実施形態に適用可能である。
【図面の簡単な説明】
【００５４】
【図１】本発明の第１実施形態によるジェットポンプが、燃料タンク内に設置された状態を示す模式図。
【図２】図１に示すジェットポンプ単体の断面図。
【図３】本発明の第２実施形態によるジェットポンプを示す断面図。
【図４】本発明の第３実施形態によるジェットポンプを示す断面図。
【図５】本発明の第４実施形態によるジェットポンプを示す断面図。
【図６】本発明の第５実施形態によるジェットポンプを示す断面図。
【図７】図６のＩ−Ｉ断面を示す断面図。
【図８】本発明の第６実施形態によるジェットポンプを示す断面図。
【符号の説明】
【００５５】
１：区画壁、２：燃料タンク、３：メインタンク、４：サブタンク、１０：ジェットポンプ、１２：ジェットノズル、１３：チャンバー、１４：スロートパイプ、１６：カップ、１７：噴射口、１８：収容室、１９：吸入口、２１：スロート通路、２２：下流側開口部、２３：カップ開口部、２４：衝突壁面、２６：返し壁面、２７：中子部材、２９：上流側先端
【図１】
2007218094.tif 000003
【図２】
2007218094.tif 000004
【図３】
2007218094.tif 000005
【図４】
2007218094.tif 000006
【図５】
2007218094.tif 000007
【図６】
2007218094.tif 000008
【図７】
2007218094.tif 000009
【図８】
2007218094.tif 000010